【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
複数の顧客に供給する中央局機器へのデジタル加入者線（ＤＳＬ）接続のためのラインドライバを備えた顧客宅内機器（ＣＰＥ）デバイスの動作を終了する方法であって、
前記ＣＰＥデバイスの電源喪失またはスイッチオフ動作の場合に、電源喪失情報を前記中央局機器に送出するステップと、
前記ラインドライバの供給電圧を、前記ＣＰＥデバイスの中央処理装置の供給電圧から分離するために、前記ラインドライバを、前記中央処理装置からデカップリングするステップと、
前記ラインドライバに対する前記供給電圧を維持することによって前記ラインドライバの終端インピーダンスの変化を避けるための期間の間、前記ラインドライバに電源を供給して、前記中央局機器がキャンセルされないクロストークの導入を避けるために前記期間の間、前記終端インピーダンスを安定に保つようにするステップと、
前記ＤＳＬ接続のアップストリーム送信経路のアップストリーム信号を遮断するが、前記ラインドライバの前記終端インピーダンスに影響を及ぼさないように、前記アップストリーム送信経路を電力供給された状態に保つステップと、
前記ＤＳＬ接続のダウンストリーム送信経路上で、前記中央局機器のダウンストリーム信号の存在をモニターし、前記ダウンストリーム信号がもはや存在しなくなった場合は、前記ＤＳＬ接続の前記アップストリーム送信経路を電源オフするステップと、
を含む、前記方法。
【請求項２】
前記ＤＳＬ接続は、ベクトル化されたベリーハイビットレートＤＳＬ（ＶＤＳＬ）接続である、請求項１に記載の方法。
【請求項３】
前記ラインドライバの前記供給電圧を、前記中央処理装置の前記供給電圧から分離するための整流素子を含めるステップを含む、請求項２に記載の方法。
【請求項４】
前記電源喪失情報は、ダイイングギャスプ電源喪失表示である、請求項１に記載の方法。
【請求項５】
前記ＣＰＥデバイスの電源スイッチに遅延回路を含めて、前記電源スイッチが押されるとすぐに、前記ＣＰＥデバイスが前記電源喪失情報を前記中央局機器に送出し、および前記遅延回路によって決まる遅延だけ遅れて、前記電源スイッチにより前記電源をスイッチオフするように構成するステップを含む、請求項１に記載の方法。
【請求項６】
中央処理装置と、
中央局機器とのデジタル加入者線（ＤＳＬ）接続のためのラインドライバと、
前記中央処理装置のための第１の供給電圧および前記ラインドライバのための第２の供給電圧を供給するように構成された電源と、
前記第２の供給電圧を前記第１の供給電圧からデカップリングするように構成された整流素子と、
前記第２の供給電圧をフィルタリングし、前記ラインドライバに結合されるように構成されたコンデンサであって、前記電源がスイッチオフされた場合または電源喪失の場合に、前記ラインドライバに電荷を供給するようにさらに構成された、前記コンデンサと、
を備えた、顧客宅内機器（ＣＰＥ）デバイスであって、
前記ＣＰＥデバイスは、前記ＣＰＥデバイスの電源喪失またはスイッチオフ動作の場合に、電源喪失情報を前記中央局機器に送出し、ある期間、前記ラインドライバの終端インピーダンスの変化を避けるために、前記電源喪失または前記スイッチオフ動作の後に前記期間の間、前記ラインドライバはアクティブのままとなり、
前記ＣＰＥデバイスは、該ＣＰＥデバイスの電源喪失またはスイッチオフ動作の場合に、前記ＤＳＬ接続のアップストリーム送信経路のアップストリーム信号を遮断するが、前記ラインドライバの前記終端インピーダンスに影響を及ぼさないように、前記アップストリーム送信経路を電源供給された状態に保ち、
前記ラインドライバは、タイマの終了の後、またはダウンストリーム信号の消失の検出の後に、前記ＤＳＬ接続の前記アップストリーム送信経路をスイッチオフするように構成された、前記ＣＰＥデバイス。
【請求項７】
キャンセルされないクロストークの導入を避けるために、前記ラインドライバの前記終端インピーダンスを安定に保つように、前記コンデンサの容量は、前記期間の間、前記ラインドライバに電源を供給するのに十分である、請求項６に記載のＣＰＥデバイス。
【請求項８】
前記コンデンサは、前記電源のスイッチオフの後にまたは電源喪失の場合に、少なくとも５０ｍｓの間、前記ラインドライバを動作させ続けるのに十分な容量を有する、請求項６に記載のＣＰＥデバイス。
【請求項９】
前記ＣＰＥデバイスは、該ＣＰＥデバイスが、スイッチオフの後に前記期間の間オンのままとなり、次いで前記ＣＰＥデバイスをスイッチオフするように、遅延機能を有する電源スイッチを有する、請求項６に記載のＣＰＥデバイス。
【請求項１０】
前記ＤＳＬ接続の前記アップストリーム送信経路は、前記期間の間、前記ラインドライバによって電源供給されたままとなる、請求項６に記載のＣＰＥデバイス。
【請求項１１】
前記ダウンストリーム信号は、デジタル加入者線アクセスマルチプレクサ（ＤＳＬＡＭ）の信号である、請求項６に記載のＣＰＥデバイス。
【請求項１２】
前記ＣＰＥデバイスは、住宅用ゲートウェイである、請求項６に記載のＣＰＥデバイス。
【請求項１３】
前記ＣＰＥデバイスは、ベクトル化されたベリーハイビットレート・デジタル・サブスクリバ・ライン２（ＶＤＳＬ２）ブロードバンド接続を介して前記中央局機器と共に動作するように設計される、請求項６に記載のＣＰＥデバイス。
【手続補正２】
【補正対象書類名】明細書
【補正対象項目名】００２６
【補正方法】変更
【補正の内容】
【００２６】
また本発明の他の実施形態は、当業者によって本発明の範囲から逸脱せずに利用され得る。本発明は特に住宅用ゲートウェイに限定されず、すべての種類の他のＣＰＥデバイス、例えばルータ、スイッチ、電話機、およびセットトップボックスに対しても有利に使用され得る。したがって本発明は、本明細書に添付された特許請求の範囲に属する。
本発明は以下の態様を含む。
（付記１）
多数の顧客に供給する中央局機器のｘＤＳＬ接続のためのフロントエンド構成要素（１３）を備えたＣＰＥデバイス（９）の動作を終了する方法であって、
前記ＣＰＥデバイスの電源喪失またはスイッチオフ動作の場合（Ｓ１０）に、電源喪失情報を前記中央局機器に送出するステップ（Ｓ２０）と、
キャンセルされないクロストークの導入を避けるのに前記中央局機器が必要な間、終端インピーダンスを安定に保つように、前記フロントエンド構成要素（１３）のために供給電力（１０）を作動状態に保つことによって、前記フロントエンド構成要素の前記終端インピーダンスの変化を避けるために、所定の時間期間の間、前記フロントエンド構成要素に電力供給するステップ（Ｓ３０）と、
を含む、前記方法。
（付記２）
前記フロントエンド構成要素（１３）の供給電圧（Ｖｓ２）を、中央処理装置（１２）の供給電圧（Ｖｓ１）から分離するために、前記フロントエンド構成要素（１３）を、前記ＣＰＥデバイスの前記中央処理装置（１２）からデカップリングするステップを含む、付記１に記載の方法。
（付記３）
前記フロントエンド構成要素の前記供給電圧（Ｖｓ２）を、前記中央処理装置の前記供給電圧（Ｖｓ１）から分離するために、分離手段（１３）、例えばスイッチまたは整流素子を含めるステップを含む、付記２に記載の方法。
（付記４）
交流もしくは直流電源中断または電源喪失を検出したときに、ダイイングギャスプ電源喪失表示を前記中央局機器に送出するステップを含む、付記１、２または３に記載の方法。
（付記５）
前記ＣＰＥデバイス（９）の電源喪失またはスイッチオフ動作の場合に、前記ｘＤＳＬ接続のアップストリーム送信経路のアップストリーム信号を遮断するが、前記ｘＤＳＬ接続の前記ライン終端インピーダンスに影響を及ぼさないように、前記アップストリーム送信経路を電力供給された状態に保つステップを含む、付記１乃至４のいずれか一つに記載の方法。
（付記６）
前記ｘＤＳＬ接続のダウンストリーム送信経路上で、前記中央局機器のダウンストリーム信号の存在をモニターするステップ（Ｓ４０）と、前記ダウンストリーム信号がもはや存在しなくなった場合（Ｓ５０）は、前記ｘＤＳＬ接続の前記アップストリーム送信経路を電源オフするステップ（Ｓ６０）と、を含む、付記５に記載の方法。
（付記７）
電源スイッチが押されるとすぐに、前記ＣＰＥデバイス（９）は電源ダウン表示を前記中央局機器に送出するが、遅延回路によって決まる遅延を有して、前記電源スイッチを用いて電源をスイッチオフするように、前記ＣＰＥデバイスの前記電源スイッチに前記遅延回路を実装するステップを含む、付記１乃至６のいずれか一つに記載の方法。
（付記８）
付記１乃至７のいずれか一つに記載の方法を行う、ＣＰＥデバイス（９）。
（付記９）
中央処理装置（１２）と、
中央局機器とのｘＤＳＬ接続のためのフロントエンド構成要素（１３）と、
前記中央処理装置（１２）のための第１の供給電圧（Ｖｓ１）および前記フロントエンド構成要素（１３）のための第２の供給電圧（Ｖｓ２）を供給する電源ユニット（１０）と、
前記第２の供給電圧（Ｖｓ２）を前記第１の供給電圧（Ｖｓ１）からデカップリングするための分離手段（１６）と、
を備えた、ＣＰＥデバイス（９）であって、
前記ＣＰＥデバイス（９）の電源喪失またはスイッチオフ動作の場合に、電源喪失情報を前記中央局機器に送出し、所定の時間期間の間、前記フロントエンド構成要素（１３）の終端インピーダンスの変化を避けるために、前記電源喪失または前記スイッチオフ動作の後に前記所定の時間期間の間、前記フロントエンド構成要素（１３）はアクティブのままとなる、前記ＣＰＥデバイス。
（付記１０）
前記ＣＰＥデバイスは、前記電源ユニット（１０）がスイッチオフされたときまたは電源喪失の場合に、前記フロントエンド構成要素（１３）に電荷を供給するように、前記第２の供給電圧（Ｖｓ２）をフィルタリングし、前記フロントエンド構成要素に結合された、コンデンサ（１５）を備える、付記９に記載のＣＰＥデバイス。
（付記１１）
前記中央局機器がキャンセルされないクロストークの導入を避けるのに必要な間、前記フロントエンド構成要素（１３）の前記終端インピーダンスを安定に保つために、前記コンデンサ（１５）の容量は、前記所定の時間期間の間、前記フロントエンド構成要素（１３）に電力供給するのに十分である、付記１０に記載のＣＰＥデバイス。
（付記１２）
前記コンデンサ（１５）は、前記電源ユニット（１０）のスイッチオフの後にまたは電源喪失の場合に、少なくとも５０ｍｓの間、前記フロントエンド構成要素（１３）を動作させ続けるのに十分な容量を備える、付記１０または１１に記載のＣＰＥデバイス。
（付記１３）
前記ＣＰＥデバイスは、前記ＣＰＥデバイスが、スイッチオフの後に前記所定の時間期間の間、オンのままとなり、次いで前記ＣＰＥデバイスをスイッチオフするように、遅延機能を有する電源スイッチを備える、付記９乃至１２のいずれか一つに記載のＣＰＥデバイス。
（付記１４）
前記ＣＰＥデバイスは、前記ＣＰＥデバイスの電源喪失またはスイッチオフ動作の場合に、前記ｘＤＳＬ接続のアップストリーム送信経路のアップストリーム信号を遮断するが、前記フロントエンド構成要素（１３）のライン終端インピーダンスに影響を及ぼさないように、前記アップストリーム送信経路を電力供給された状態に保つ、付記９乃至１３のいずれか一つに記載のＣＰＥデバイス。
（付記１５）
前記ｘＤＳＬ接続の前記アップストリーム送信経路は、前記所定の時間期間の間、前記フロントエンド構成要素（１３）によって電力供給されたままとなる、付記１４に記載のＣＰＥデバイス。
（付記１６）
前記フロントエンド構成要素（１３）は、タイマの終了の後、またはＤＳＬＡＭのダウンストリーム信号の消失の検出の後に、前記アップストリーム送信経路をスイッチオフする、付記１４に記載のＣＰＥデバイス。
（付記１７）
前記フロントエンド構成要素（１３）は、ｘＤＳＬラインドライバである、付記９乃至１６のいずれか一つに記載のＣＰＥデバイス。
（付記１８）
前記分離手段（１６）は、整流素子、例えばダイオード、またはスイッチである、付記９乃至１７のいずれか一つに記載のＣＰＥデバイス。
（付記１９）
前記ＣＰＥデバイス（９）は、住宅用ゲートウェイである、付記９乃至１８のいずれか一つに記載のＣＰＥデバイス。
（付記２０）
前記ＣＰＥデバイス（９）は、ベクトル化されたＶＤＳＬ２ブロードバンド接続を介して中央局機器と共に動作するように設計される、付記９乃至１９のいずれか一つに記載のＣＰＥデバイス。